(57)【特許請求の範囲】
【請求項１】
壁、扉等に取着される背板と、この背板に当接、離間可能に設けられた前板と、一端が前記前板の上部に回動可能に取着されるとともに他端が前記背板の内面に沿って滑動可能に設けられた一対の上部可動杆と、一端が前記背板の上部に回動可能に取着されるとともに他端が前記上部可動杆の中間部に回動可能に取着された一対の連杆と、一端が前記背板の下部に回動可能に取着されるとともに他端が前記前板の下部両側のガイド溝にスライド可能に取着された一対の下部可動杆と、この下部可動杆の他端を前記ガイド溝に沿って上方にスライドさせるために一端が前記下部可動杆に固定されるとともに他端が前記前板に上下方向に可動状態に設けられた摘子に固定されたワイヤ−等の策条体とによって構成されたことを特徴とする傘立て。
【発明の詳細な説明】
【０００１】
【発明の属する技術分野】
本発明は傘立て、詳しくは不使用時に折畳まれて邪魔にならない上に、美観を損なうこともない傘立に関する。
【０００２】
【従来の技術】
雨の日に大活躍する傘立ても晴れた日には何処かにしまわれてしまうか、そのままの状態で置かれているのが実状である。
【０００３】
【発明が解決しようとする課題】
然し乍ら、前者の場合は天気の状態にあわせてその都度傘立ての出し入れする作業が面倒であり、また、後者の場合は美観上あまり好ましいとは言えるものではなかった。
【０００４】
本発明は上記問題点を解決し、特に不使用時に邪魔にならないとともに、美観上においても優れ、且つ使いやすい傘立てを提案することをその課題とする。
【０００５】
【課題を解決するための手段】
前記課題を解決するための手段として、本発明に係る傘立ては、壁、扉等に取着される背板と、この背板に当接、離間可能に設けられた前板と、一端が前記前板の上部に回動可能に取着されるとともに他端が前記背板の内面に沿って滑動可能に設けられた一対の上部可動杆と、一端が前記背板の上部に回動可能に取着されるとともに他端が前記上部可動杆の中間部に回動可能に取着された一対の連杆と、一端が前記背板の下部に回動可能に取着されるとともに他端が前記前板の下部両側のガイド溝にスライド可能に取着された一対の下部可動杆と、この下部可動杆の他端を前記ガイド溝に沿って上方にスライドさせるために一端が前記下部可動杆に固定されるとともに他端が前記前板に上下方向に可動状態に設けられた摘子に固定されたワイヤ−等の策条体とによって構成されたことを特徴とする。
【０００６】
【発明の実施の形態】
以下、図面によって本発明の実施の形態の一例について説明する。
【０００７】
図１及び図２において、符号１は本発明に係る傘立てを示し、この傘立て１は背板２と、この背板２に当接、離間可能に設けられた前板３とによって構成されている。
【０００８】
背板２は金属製で縦長の矩形状を有するとともに、その周囲は内側に９０度折曲されて折曲片２ａが形成されている。そして、前記背板２はビス等の固定具（図示せず）によって壁４に取着されている。
【０００９】
なお、背板２は金属製に限るものではなく、例えば合成樹脂、木等によって形成してもよい。また、形状も矩形に限るものではなく、例えば楕円、三角等であってもよい。
【００１０】
前板３は金属製で縦長の矩形状を有するとともに、その周囲は内側に９０度折曲されて折曲片３ａが形成されている。そして、前記前板３は背板２より稍大きめに形成されており、前記背板２に前板３が当接時にこの前板３によって背板２が覆い隠されるように設けられている。また、前記前板３にはその中央から上方にかけて長孔５が形成されている。
【００１１】
なお、前板３も背板２と同様に金属製に限るものではなく、例えば合成樹脂、木等によって形成してもよい。また、形状も矩形に限るものではなく、例えば楕円、三角等であってもよい。
【００１２】
前板３の左右の折曲片３ａの上部には一対の上部可動杆６の一端が支軸７を介して回動可能に取着されるとともに、前記上部可動杆６の他端は背板２の内面２ｂの上部に位置され、且つ上部可動杆６が支軸７を支点に回動時に前記内面２ｂに沿って滑動可能に設けられている。また、一対の前記上部可動杆６の他端同士は連結部材８を介して連結されている。この場合、上部可動杆６と連結部材８とは溶着するのが好ましい。
【００１３】
次に、背板２の左右の折曲片２ａの上部には一対の連杆１０の一端が支軸１１を介して回動可能に取着されるとともに、前記連杆１０の他端は支軸１２を介して上部可動杆６の中間部に回動可能に取着されている。そして、前記連杆１０は上部可動杆６が支軸７を支点に回動するのに伴って支軸１１、１２を支点に相互に可動するように設けられている。
【００１４】
また、前記背板２の左右の折曲片２ａの下部には一対の下部可動杆１３の一端が支軸１４を介して回動可能に取着されるとともに、前記下部可動杆１３の他端には支軸１５によってロ−ラ１６が取着されている。そして、このロ−ラ１６は下部可動杆１３が支軸１４を支点に回動時に前板３の内面３ａに沿って滑動可能に設けられている。
【００１５】
一対の下部可動杆１３の他端同士は、この他端付近に設けられた板状で側面視Ｌ字状の連結部材１７を介して連結されている。この場合、下部可動杆１３と連結部材１７とは溶着するのが好ましい。また、一対の下部可動杆１３間には傘から垂れる雨水を受け止めるための皿状を有する水受け部（図示せず）が設けられるとともに、この水受け部は前記連結部材１７と下部可動杆１３の他端との間に配されている。
【００１６】
次に、一対の下部可動杆１３の他端に取着されたロ−ラ１６の支軸１５の先端は前記下部可動杆１３の外側に突出されるとともに、前板３の左右の折曲片３ａの下部に設けたガイド溝１８にスライド可能に挿嵌されている。そして、前記下部可動杆１３が支軸１４を支点に回動したときに前記支軸１５はガイド溝１８内を移動するのと相俟って前記前板３を背板２側に引き寄せるための役目を果している。
【００１７】
符号１９は一対の下部可動杆１３の他端をガイド溝１８に沿って上方にスライドさせるためのワイヤ−から成る策条体を示し、この策条体１９の下部近傍には短い別のワイヤ−から成る策条体１９ａが接続具２１を介して接続され、且つ二股に別れるとともに、前記策条体１９の先部と別の策条体１９ａの先部とは連結部材１７の先端中央に固定具２２によって固定されている。また、前記策条体１９の上端は前記前板３の上部中央縦方向に設けられた長孔５に上下動可能に配置された摘子２０に固定されている。
【００１８】
なお、策条体１９、１９ａはワイヤ−に限定されるものではなく、例えば紐、細い鎖、ロ−プ等であってもよい。
【００１９】
ところで、摘子２０を前板３に設けた長孔５に沿って上動させると策条体１９が上に引っ張られるので、これによって、一対の下部可動杆１３は支軸１４を支点に回動するとともにその先端はガイド溝１８に沿って上方にスライドする。また、摘子２０を離せばこの摘子２０は長孔５に案内されて下方に移動する。もちろん策条体１９も同様である。
【００２０】
傘立て１は上述のように構成されているので、その使用にあたっては、まず、図１に示すように折畳まれている状態において、摘子２０に触れて手前に引くことによって、一対の上部可動杆６の一端が支軸７を支点に回動し、これと同時に一対の連杆１０の一端が支軸１１を支点に回動するのと相俟って、前記上部可動杆６の中間部に軸支された前記連杆１０の両端は支軸１１、１２を支点に回動するので、これによって、一対の前記上部可動杆６は水平の状態に移行されるのと相俟って、前記上部可動杆６の他端は背板２の内面２ｂに沿って滑動する。このときに、連杆１０も支軸１１、１２を支点に相互に可動し略水平の状態に移行される。
【００２１】
また、一対の下部可動杆１３は支軸１４を支点に回動し、下部可動杆１３の他端に取着されたロ−ラ１６の支軸１５は前板３の左右の折曲片３ａの下部に設けたガイド溝１８内をスライドするので、これによって、一対の前記下部可動杆１３は水平の状態に移行される。このときに、前記下部可動杆１３の他端に取着されたロ−ラ１６は前板３の内面３ａに沿って滑動する。
【００２２】
このように一対の上部可動杆６と一対の下部可動杆１３とが水平の状態に移行されることによって、図２及び図３に示すように前板３は背板２から離間させて展開された状態となり、雨の日に傘（図示せず）を収納して使用することができる。
【００２３】
不使用時には摘子２０に触れてこの摘子２０を長孔５に沿って上方に移動させることによって摘子２０を長孔５に沿って上動させるとワイヤ−から成る策条体１９が上に引っ張られるので、これによって、一対の下部可動杆１３は支軸１４を支点に回動するとともにその先端はガイド溝１８に沿って上方にスライドするのと相俟って前記前板３を背板２側に引き寄せるための役目を果たす一方、一対の上部可動杆６と、一対の連杆１０とが前記とは反対の方向に回動し折畳まれるので、これによって、前板３を背板２に当接させることができる。そして、この状態で摘子２０を離せば、この摘子２０は前板３に設けた長孔５の下部まで移動するのと同時に策条体１９も同様に移動する。
【００２４】
上述のように傘立て１によれば、不使用時には折畳むことができるので邪魔にならないとともに、美観上においても優れている。また、使用時には簡単に展開させることができるので使いやすい。さらに、天気にあわせて保管場所から出し入れするという煩わしい手間を省くことができる。
【００２５】
【発明の効果】
前記構成のように、本発明に係る傘立てによれば、摘子を上方に操作することによってワイヤ−等の策状体を介して背板の下部に取着された一対の下部可動杆が回動し、前記背板に対し前板が近接するのと同時に、この前板の上部に取着された一対の上部可動杆も同様に回動し、前記前板を背板に確実に当接させることができるので、晴れの日には邪魔になるようなこともなく、且つ美観上においても優れている。また、雨の日には前記摘子を引くだけの簡単な操作で前板を背板から離間させて展開して使用することができる。
【図面の簡単な説明】
【図１】本発明に係る傘立ての斜視図
【図２】前記傘立てにおいて、前板を背板から離間させて展開した状態の斜視図
【図３】図２における傘立ての縦断面図
【図４】前板と下部可動杆との関係を示す要部拡大図
【図５】連結部材と策条体との関係を示す斜視図
【符号の説明】
１  傘立て
２  背板
３  前板
４  壁
６  上部可動杆
１０  連杆
１３  下部可動杆
１８  ガイド溝
１９  策条体
【図１】
0003806494.tif 000002
【図２】
0003806494.tif 000003
【図３】
0003806494.tif 000004
【図４】
0003806494.tif 000005
【図５】
0003806494.tif 000006